(57)【要約】【課題】操作部の操作に伴う電力消費を抑制することのできる遠隔操作機器及び投写型映像表示装置を提供する。【解決手段】遠隔操作機器であるリモコン装置２は、複数のマンマシンインタフェースである押しボタンスイッチ６１〜６６により構成される操作部６０と、押しボタンスイッチ６１〜６６の操作に応じたリモコン信号を送信するリモコン信号送信部５１と、リモコン信号送信部５１を制御する制御部と９１を備え、操作対象装置であるプロジェクタ本体装置の動作を遠隔から操作する。制御部９１は、リモコン信号送信部５１を制御する態様として第１モードと第２モードとを有し、押しボタンスイッチ６１〜６６のうち特定の押しボタンスイッチ６６が操作されたとき、制御部９１は、第１モードにおいてはリモコン信号送信部５１によるリモコン信号の送信を許可し、第２モードにおいてはリモコン信号送信部５１によるリモコン信号の送信を禁止する。【選択図】図２
2013034116.tif 000002
【特許請求の範囲】
【請求項１】
複数のマンマシンインタフェースにより構成される操作部と、前記マンマシンインタフェースの操作に応じたリモコン信号を送信するリモコン信号送信部と、このリモコン信号送信部を制御する制御部とを備え、操作対象装置の動作を遠隔から操作可能な遠隔操作機器において、
前記制御部は、前記リモコン信号送信部を制御する態様として、制御内容が異なる第１モードと第２モードとを有し、
複数の前記マンマシンインタフェースのうち特定のマンマシンインタフェースが操作されたとき、前記制御部は、前記第１モードにおいては前記リモコン信号送信部によるリモコン信号の送信を許可し、前記第２モードにおいては前記リモコン信号送信部によるリモコン信号の送信を禁止する
ことを特徴とする遠隔操作機器。
【請求項２】
マンマシンインタフェースにより構成されるモード切替用操作部を備え、
前記制御部は、前記モード切替用操作部が操作されたときに、前記第１モード及び前記第２モードのうち一方のモードから他方のモードに切り替わる
ことを特徴とする請求項１に記載の遠隔操作機器。
【請求項３】
前記第２モードにおいて、前記マンマシンインタフェースのうち、前記リモコン信号送信部によるリモコン信号の送信が禁止される前記特定のマンマシンインタフェースを「無効インタフェース」とし、
前記第２モードにおいて、前記マンマシンインタフェースのうち、前記リモコン信号送信部によるリモコン信号の送信が許可されるマンマシンインタフェースを「有効インタフェース」としたとき、
前記第２モードにおいて、前記マンマシンインタフェースのうち有効インタフェースを、発光して示す発光部を備える
ことを特徴とする請求項１または２に記載の遠隔操作機器。
【請求項４】
前記発光部は、複数の有効インタフェースの各々に対応する複数の発光素子を備え、
複数の前記発光素子のうち、点灯している状態の発光素子を「点灯発光素子」とし、発光していない状態の発光素子を「消灯発光素子」としたとき、
前記第２モードにおいて、有効インタフェースの操作に応じて、点灯発光素子または消灯発光素子となる前記発光素子の組み合わせが変化する
ことを特徴とする請求項３に記載の遠隔操作機器。
【請求項５】
前記第２モードにおいてリモコン信号の送信が禁止される前記特定のマンマシンインタフェースを変更可能な機能を有する
ことを特徴とする請求項１〜４のいずれか一項に記載の遠隔操作機器。
【請求項６】
前記第２モードとして、リモコン信号の送信が禁止される前記特定のマンマシンインタフェースが異なる複数の第２モードを備える
ことを特徴とする請求項１〜４のいずれか一項に記載の遠隔操作機器。
【請求項７】
請求項１〜６のいずれか一項に記載の遠隔操作機器と、前記操作対象装置としてプロジェクタ本体装置とを備えることを特徴とする投写型映像表示装置。
【発明の詳細な説明】
【技術分野】
【０００１】
本発明は、プロジェクタ本体装置等の操作対象装置の動作を遠隔から操作可能な遠隔操作機器及びこれを備える投写型映像表示装置に関する。
【背景技術】
【０００２】
液晶プロジェクタ等の投写型映像表示装置は、操作対象装置であるプロジェクタ本体装置の動作を遠隔から操作するための遠隔操作機器を備えることが一般的に知られている。一般的に、遠隔操作機器は、複数のマンマシンインタフェースにより構成される操作部、マンマシンインタフェースの操作に応じたリモコン信号を送信するリモコン信号送信部、及び電池等を備えている。リモコン信号の送信には電力が消費される。
【０００３】
また、リモコン信号に基づくプロジェクタ本体装置の動作を一時的に禁止する構成を採用した投写型映像表示装置が知られている（例えば特許文献１参照）。
特許文献１には、ＤＶＤロック状態とロック解除状態とを切り替えるためのＤＶＤロックキーを備えるリモコンが記載されている。特許文献１には、ＤＶＤロックキーを操作することにより、ＤＶＤロック状態とロック解除状態とを切り替えることができ、ロック解除状態に設定された場合には、リモコンに備えるＤＶＤ操作キーの操作は常に有効となり、一方、ＤＶＤロック状態に設定された場合には、すべてのＤＶＤ操作が無効となることが記載されている。
【先行技術文献】
【特許文献】
【０００４】
【特許文献１】特開２０１０−１２４０９３号公報
【発明の概要】
【発明が解決しようとする課題】
【０００５】
ところが、上記特許文献１においては、ＤＶＤロック状態に設定してリモコンを用いたＤＶＤ操作を禁止する場合、すなわち、リモコン信号に基づく操作対象装置の動作を禁止する場合にも、ＤＶＤ操作キーを操作すると赤外線の操作信号であるリモコン信号が送信される。従って、操作部の操作に伴う電力消費を抑制することができないという問題がある。
【０００６】
本発明は上記問題を解決するためになされたものであり、その目的は、操作部の操作に伴う電力消費を抑制することのできる遠隔操作機器及び投写型映像表示装置を提供することにある。
【課題を解決するための手段】
【０００７】
以下、上記目的を達成するための手段及びその作用効果について記載する。
請求項１に記載の発明は、複数のマンマシンインタフェースにより構成される操作部と、前記マンマシンインタフェースの操作に応じたリモコン信号を送信するリモコン信号送信部と、このリモコン信号送信部を制御する制御部とを備え、操作対象装置の動作を遠隔から操作可能な遠隔操作機器において、前記制御部は、前記リモコン信号送信部を制御する態様として、制御内容が異なる第１モードと第２モードとを有し、複数の前記マンマシンインタフェースのうち特定のマンマシンインタフェースが操作されたとき、前記制御部は、前記第１モードにおいては前記リモコン信号送信部によるリモコン信号の送信を許可し、前記第２モードにおいては前記リモコン信号送信部によるリモコン信号の送信を禁止することを特徴とする。
【０００８】
上記発明によれば、第２モードにおいては、第１モードでリモコン信号の送信が許可される特定のマンマシンインタフェースが操作された場合であっても、リモコン信号送信部によるリモコン信号の送信が禁止される。よって、遠隔操作機器から送信されるリモコン信号に基づいて動作する操作対象装置について、リモコン信号に基づく操作対象装置の動作を一時的に禁止したい場合には、リモコン信号送信部を制御する態様が第１モードから第２モードに切り替わることによって、リモコン信号の送信を禁止して、リモコン信号に基づく操作対象装置の動作を禁止することができる。従って、リモコン信号の送信を禁止せずに操作対象装置側においてリモコン信号に基づく操作対象装置の動作を禁止する構成に比べて、リモコン信号送信部によるリモコン信号の送信頻度を低減して、操作部の操作に伴う電力消費を抑制することができる。
【０００９】
請求項２に記載の発明は、請求項１に記載の遠隔操作機器において、マンマシンインタフェースにより構成されるモード切替用操作部を備え、前記制御部は、前記モード切替用操作部が操作されたときに、前記第１モード及び前記第２モードのうち一方のモードから他方のモードに切り替わることを特徴とする。
【００１０】
上記発明によれば、ユーザは、遠隔操作機器が備えるモード切替用操作部を操作することにより、第１モード及び第２モードを切り替えることができる。従って、操作対象装置等の外部機器から遠隔操作機器の制御部を制御せずに、第１モード及び第２モードを切り替えることができる。
【００１１】
請求項３に記載の発明は、請求項１または２に記載の遠隔操作機器において、前記第２モードにおいて、前記マンマシンインタフェースのうち、前記リモコン信号送信部によるリモコン信号の送信が禁止される前記特定のマンマシンインタフェースを「無効インタフェース」とし、前記第２モードにおいて、前記マンマシンインタフェースのうち、前記リモコン信号送信部によるリモコン信号の送信が許可されるマンマシンインタフェースを「有効インタフェース」としたとき、前記第２モードにおいて、前記マンマシンインタフェースのうち有効インタフェースを、発光して示す発光部を備えることを特徴とする。
【００１２】
上記発明によれば、第２モードにおいてリモコン信号送信部によるリモコン信号の送信が許可されるマンマシンインタフェースが、第２モードにおいて発光する発光部により示される。このため、ユーザは、第２モードにおいて、リモコン信号送信部によるリモコン信号の送信が許可されるマンマシンインタフェースを見分け易くなる。
【００１３】
請求項４に記載の発明は、請求項３に記載の遠隔操作機器において、発光部は、複数の有効インタフェースの各々に対応する複数の発光素子を備え、複数の発光素子のうち、点灯している状態の発光素子を「点灯発光素子」とし、発光していない状態の発光素子を「消灯発光素子」としたとき、第２モードにおいて、有効インタフェースの操作に応じて、点灯発光素子または消灯発光素子となる発光素子の組み合わせが変化することを特徴とする。
【００１４】
上記発明によれば、第２モードにおいて、有効インタフェースの操作に応じて、点灯発光素子または消灯発光素子となる複数の発光素子の組み合わせが変化する。このため、例えば、メニュー表示ボタンスイッチと項目選択ボタンスイッチが有効インタフェースであるとき、操作対象装置の動作を操作するために必要とされる有効インタフェースの操作順に対応して、点灯発光素子または消灯発光素子となる発光素子の組み合わせを変化させることができる。例えば、「メニュー表示ボタンスイッチ→項目選択ボタンスイッチ」の順で操作されることが必要とされる場合には、メニュー表示ボタンスイッチが操作されるまでは、メニュー表示ボタンスイッチに対応する発光素子を点灯発光素子とし、項目選択ボタンスイッチに対応する発光素子を消灯発光素子とする。そして、メニュー表示ボタンスイッチが操作されると、項目選択ボタンスイッチに対応する発光素子を点灯発光素子として、メニュー表示ボタンスイッチに対応する発光素子を消灯発光素子とする。このようにして、点灯発光素子または消灯発光素子となる発光素子の組み合わせを変化させることにより、ユーザは、有効インタフェースの操作順を把握し易くなる。
【００１５】
請求項５に記載の発明は、請求項１〜４のいずれか一項に記載の遠隔操作機器において、前記第２モードにおいてリモコン信号の送信が禁止される前記特定のマンマシンインタフェースを変更可能な機能を有することを特徴とする。
【００１６】
上記発明によれば、ユーザは、第２モードにおいてリモコン信号の送信が禁止される特定のマンマシンインタフェースを、所望のマンマシンインタフェースに変更することができる。
【００１７】
請求項６に記載の発明は、請求項１〜４のいずれか一項に記載の遠隔操作機器において、前記第２モードとして、リモコン信号の送信が禁止される前記特定のマンマシンインタフェースが異なる複数の第２モードを備えることを特徴とする。
【００１８】
上記発明によれば、リモコン信号の送信が禁止される特定のマンマシンインタフェースが異なる複数の第２モードを使い分けることによって、第２モードにおいてリモコン信号の送信が禁止される特定のマンマシンインタフェースを変更することができる。
【００１９】
請求項７に記載の発明は、請求項１〜６のいずれか一項に記載の遠隔操作機器と、前記操作対象装置としてプロジェクタ本体装置とを備えることを特徴とする。
上記発明によれば、投写型映像表示装置は、上記構成を備えた遠隔操作機器を備えるため、上記発明の効果を奏することができる。また、遠隔操作機器を用いて操作対象装置としてのプロジェクタ本体装置の動作を遠隔から操作することができるため、例えば天井に設けられたプロジェクタ本体装置の動作を簡単に操作することができる。
【発明の効果】
【００２０】
本発明によれば、操作部の操作に伴う遠隔操作機器の電力消費を抑制することができる。
【図面の簡単な説明】
【００２１】
【図１】本発明の一実施形態に係る遠隔操作機器及びプロジェクタ本体装置の外観を示す斜視図。
【図２】同実施形態の遠隔操作機器の外観を示す模式図。
【図３】同実施形態の遠隔操作機器及びプロジェクタ本体装置の概略構成を示すブロック図。
【図４】同実施形態の遠隔操作機器が実行する「リモコン信号送信処理」の動作の流れを示すフローチャート。
【発明を実施するための形態】
【００２２】
以下、本発明の一実施形態について図面を参照しながら説明する。
図１に示すように、本発明の遠隔操作機器は、操作対象装置であるプロジェクタ本体装置１を無線で遠隔操作するリモコン装置２に相当する。投写型映像表示装置は、プロジェクタ本体装置１とリモコン装置２とにより構成されている。投写型映像表示装置を構成するプロジェクタ本体装置１は、スクリーンまたは壁等の平面に映像を投写して表示する。
【００２３】
プロジェクタ本体装置１は、映像表示用の光学部品及び電子部品を収納する筐体１Ｃを備えている。プロジェクタ本体装置１には、筐体１Ｃの内部から外部へ光を投写する投射レンズ１３が設けられている。プロジェクタ本体装置１は、投射レンズ１３で映像の光を投射することにより、プロジェクタ本体装置１に対向する映像表示面（不図示）に映像を表示する。
【００２４】
また、プロジェクタ本体装置１には、プロジェクタ本体装置１の遠隔からプロジェクタ本体装置１の動作を操作するためにリモコン信号受信部３１が設けられている。リモコン信号受信部３１は、筐体１Ｃの外部から無線により送信されてくるリモコン信号を受信する。プロジェクタ本体装置１は、リモコン信号に含まれるリモコンコードに応じて動作する。
【００２５】
リモコン装置２は、押しボタン等が露出するように設けられるケース２Ｃを備えている。リモコン装置２には、複数の押しボタンスイッチにより構成される操作部６０、及びスライド可能なつまみにより構成されるモード切替用操作部７０が設けられている。操作部６０が操作されたとき、即ち押しボタンスイッチを構成する押しボタンが押されたとき、リモコン装置２は、押された押しボタンに応じたリモコン信号を送信する。
【００２６】
図２に示すように、操作部６０は、電源ボタンスイッチ６１と、スタンバイボタンスイッチ６２と、メニュー表示ボタンスイッチ６３と、項目選択ボタンスイッチ６４と、ポインタ移動ボタンスイッチ６５と、複数の他の押しボタンスイッチ６６とを有している。
【００２７】
各スイッチ６１〜６６は、押しボタンスイッチにより構成されるマンマシンインタフェースである。押しボタンスイッチは、図２に図示されたユーザインタフェースである押しボタンと、ケース２Ｃ内の回路基板上に設けられたスイッチ（不図示）とにより構成されている。以下、説明を簡略化するために、電源ボタンスイッチ６１を「スイッチ６１」、スタンバイボタンスイッチ６２を「スイッチ６２」、メニュー表示ボタンスイッチ６３を「スイッチ６３」、項目選択ボタンスイッチ６４を「スイッチ６４」、ポインタ移動ボタンスイッチ６５を「スイッチ６５」と、ボタンスイッチ６６を「スイッチ６６」とする。スイッチ６１〜６５を構成する図２の押しボタンは、光を透過する樹脂材料により形成されている。
【００２８】
スイッチ６１〜６６の各々には、プロジェクタ本体装置１に行わせる動作が割り当てられている。スイッチ６１は、映像を表示していない状態のプロジェクタ本体装置１に対して映像の表示動作の開始させるための押しボタンスイッチである。また、スイッチ６２は、映像を表示している状態のプロジェクタ本体装置１に対して映像の表示動作を停止させるための押しボタンスイッチである。また、スイッチ６３は、映像を表示している状態のプロジェクタ本体装置１に対してメニュー映像を表示させるための押しボタンスイッチである。メニュー映像には、プロジェクタ本体装置１が実行可能な機能の一覧と、この一覧に含まれる選択肢のうちいずれかを指し示すポインタとが含まれる。
【００２９】
また、スイッチ６４は、メニュー映像においてポインタが指し示す項目を選択するための押しボタンスイッチである。また、スイッチ６５は、メニュー映像においてポインタを移動させるための押しボタンスイッチである。また、複数のスイッチ６６には、それぞれ別の動作が割り当てられている。スイッチ６６は、例えば、投射される映像の光をプロジェクタ本体装置１が備えるシャッター装置（不図示）により遮断するための押しボタンスイッチ、投射レンズ１３を移動させるための押しボタンスイッチ、及び投写して表示される映像の大きさを変更するための押しボタンスイッチ等である。
【００３０】
モード切替用操作部７０は、スライドスイッチ７１を有している。スライドスイッチ７１は、スライド可能なユーザインタフェースであるつまみと、ケース２Ｃ内の回路基板上に設けられたスイッチ（不図示）とにより構成されているマンマシンインタフェースである。
【００３１】
また、リモコン装置２には、リモコン信号送信部５１と、可視光線を発する発光素子８１〜８５と、制御部９１とが設けられている。発光素子８１〜８５及び制御部９１は、ケース２Ｃの内部に収納されている。
【００３２】
発光素子８１〜８５は、それぞれ、スイッチ６１〜６５に対応して設けられている。即ち、発光素子８１〜８５のうち発光素子８１がスイッチ６１の最も近傍に設けられている。また、発光素子８１〜８５のうち発光素子８２がスイッチ６２の最も近傍に設けられている。また、発光素子８１〜８５のうち発光素子８３がスイッチ６３の最も近傍に設けられている。また、発光素子８１〜８５のうち発光素子８４がスイッチ６４の最も近傍に設けられている。また、発光素子８１〜８５のうち発光素子８５がスイッチ６５の最も近傍に設けられている。
【００３３】
図３を参照して、プロジェクタ本体装置１及びリモコン装置２の内部構成について説明する。
プロジェクタ本体装置１は、映像表示用の光学部品として、光源１１と、液晶パネル１２と、投射レンズ１３とを備えている。また、これらの光学部品の他に、プロジェクタ本体装置１は、例えば、インテグレータレンズ、偏光変換素子、集光レンズ、及びクロスダイクロイックプリズム（いずれも不図示）等を備えている。
【００３４】
光源１１は、例えば超高圧水銀ランプまたはメタルハライドランプ等の放電ランプにより構成されている。液晶パネル１２はドットマトリクス型の液晶ライトバルブを構成している。投射レンズ１３は、複数のレンズを組み合わせたレンズ群により構成されている。光源１１から出射されて液晶ライトバルブを透過した光が投射レンズ１３で投射されることにより、映像が拡大されて表示される。
【００３５】
また、プロジェクタ本体装置１は、プロジェクタ本体装置１の外部から映像信号が入力される映像信号入力部２１と、映像信号に対して所定の信号処理を施す映像信号処理部２２と、映像信号に基づいて液晶パネル１２を駆動する液晶駆動部２３とを備えている。
【００３６】
映像信号入力部２１は、例えば映像信号用ケーブル（不図示）が接続される映像信号入力用の端子、または無線により送信された映像信号を受信する無線モジュールにより構成されている。映像信号処理部２２は、プロジェクタ本体装置１に入力された映像信号に対して、ＯＳＤ（On Screen Display）処理やスケーリング処理等の種々の信号処理を施す信号処理回路により構成されている。液晶駆動部２３は、映像信号に基づいて液晶パネル１２を駆動する駆動回路により構成されている。光源１１から出射された光が、映像信号に基づいて駆動されている液晶パネル１２を含む液晶ライトバルブを透過することにより、映像が生成される。
【００３７】
また、プロジェクタ本体装置１は、赤外線を受光する赤外線受光モジュールにより構成されたリモコン信号受信部３１と、光源１１及び映像信号処理部２２等のプロジェクタ本体装置１の各部を制御する制御部４１とを備えている。
【００３８】
制御部４１は、１つまたは複数の集積回路により構成されている。制御部４１は、リモコン信号受信部３１で受信したリモコン信号に含まれているリモコンコードに基づいて、プロジェクタ本体装置１の動作を制御する。
【００３９】
リモコン装置２は、図２で示したように、赤外線を発光する赤外線発光モジュールにより構成されたリモコン信号送信部５１と、操作部６０と、モード切替用操作部７０と、発光素子８１〜８５により構成された発光部８０と、リモコン信号送信部５１及び発光部８０等のリモコン装置２の各部を制御する制御部９１を備えている。
【００４０】
制御部９１は、後述する無効インタフェースが操作されたときを除いて、スイッチ６１〜６６から制御部９１へ入力される電気信号の変化に基づいて、操作部６０の操作に応じたリモコンコードを生成する。即ち、スイッチ６１〜６６の各々に割り当てられているプロジェクタ本体装置１の動作に応じたリモコンコードを生成する。
【００４１】
リモコン信号送信部５１は、制御部９１で生成されたリモコンコードを含んだリモコン信号を、赤外線として送信する。即ち、リモコン信号送信部５１は、操作部６０の操作に応じたリモコン信号を送信する。
【００４２】
また、制御部９１は、リモコン信号送信部５１を制御する態様として、制御内容が異なる第１モードと第２モードとを有している。第１モードおよび第２モードは次のように定義される。
「第１モード」：スイッチ６１〜６６のいずれが操作されたときにおいて、操作されたスイッチ６１〜６６のいずれかに応じてリモコンコードを生成して、リモコン信号送信部５１によるリモコン信号の送信を許可する態様。
「第２モード」：スイッチ６１〜６５のいずれが操作されたときにおいて、操作されたスイッチ６１〜６５のいずれかに応じてリモコンコードを生成して、リモコン信号送信部５１によるリモコン信号の送信を許可する態様。かつ、スイッチ６６が操作されたときにおいて、操作されたスイッチ６６に応じてリモコンコードを生成せずに、リモコン信号送信部５１によるリモコン信号の送信を禁止する態様。
【００４３】
即ち、第１モードは、制御部９１がリモコン信号送信部５１によるリモコン信号の送信を禁止しない通常モードであって、第２モードは、リモコン装置２の機能を簡素化したシンプルモードである。シンプルモードにおいては、リモコン装置２を用いてプロジェクタ本体装置１の特定の動作を操作することができないが、リモコン装置２に不慣れなユーザによる誤操作を抑制することができる。
【００４４】
制御部９１は、モード切替用操作部７０が操作されたとき、即ちスライドスイッチ７１を構成するつまみが移動したときに、モード切替用操作部７０から制御部９１へ入力される電気信号の変化に基づいて、第１モード及び第２モードのうち一方のモードから他方のモードに切り替わる。
【００４５】
以下の説明において、第２モードにおいてリモコン信号送信部５１によるリモコン信号の送信が許可されるスイッチ６１〜６５を「有効インタフェース」とし、第２モードにおいてリモコン信号送信部５１によるリモコン信号の送信が禁止されるスイッチ６６を「無効インタフェース」とする。
【００４６】
また、制御部９１は、第２モードにおいて発光部８０の発光素子８１〜８５を発光させる。即ち、第２モードにおいては、発光部８０が、有効インタフェースを発光して示す。このとき、制御部９１は、発光素子８１〜８５を制御して、点灯している点灯状態の発光素子８１〜８５の組み合わせを変化させる。具体的には、プロジェクタ本体装置１の動作を操作するために必要とされる有効インタフェースの操作順に対応して、点灯している点灯状態の発光素子８１〜８５の組み合わせを変化させることができる。例えば、「スイッチ６３→スイッチ６４」の順で操作されることが必要とされる場合には、スイッチ６３が操作されるまでは、スイッチ６３に対応する発光素子８３を点灯させ、スイッチ６４に対応する発光素子８４を点灯させずに消灯状態とする。そして、スイッチ６３が操作されると、スイッチ６４に対応する発光素子８４を点灯させ、スイッチ６３に対応する発光素子８３を消灯する。また、スイッチ６２が操作されるまでは、スイッチ６２に対応する発光素子８２を点灯させ、スイッチ６１に対応する発光素子８１を点灯させずに消灯状態とする。そして、スイッチ６２が操作されると、スイッチ６１に対応する発光素子８１を点灯させ、スイッチ６２に対応する発光素子８２を消灯する。
【００４７】
図４を参照して、リモコン装置２が実行するリモコン信号送信処理について説明する。図４に示す一連の動作は、繰り返し行われる。
まず、制御部９１は、操作部６０が操作されたか否かを判断する（ステップＳ１）。操作部６０が操作されたか否かの判断は、操作部６０を構成するスイッチ６１〜６６のいずれかの操作に伴う、操作部６０から制御部９１へ入力される電気信号の変化により判断される。
【００４８】
操作部６０が操作されたステップＳ１で判断されたとき、制御部９１は、第２モード選択中であるか否かを判断する（ステップＳ２）。すなわち、ステップＳ２においては、選択されているリモコン信号送信部５１の制御態様が判断される。一方、操作部６０が操作されたとステップＳ１で判断されなかったとき、ステップＳ１が繰り返し実行される。即ち、操作部６０が操作されるまでステップＳ２には移行しない。
【００４９】
第２モード選択中であるとステップＳ２で判断されなかったとき、即ち、第１モード選択中であるとき、制御部９１は、ステップＳ１における操作部６０の操作に応じたリモコンコードを生成する（ステップＳ３）。そして、制御部９１は、リモコンコードをリモコン信号送信部５１に出力して、ステップＳ３で生成したリモコンコードを含むリモコン信号をリモコン信号送信部５１に送信させる（ステップＳ４）。
【００５０】
一方、第２モード選択中であるとステップＳ２で判断されたとき、即ち、第２モード選択中であるとき、制御部９１は、ステップＳ１における操作部６０の操作が、有効インタフェースの操作であるか否かを判断する（ステップＳ５）。即ち、ステップＳ５では、ステップＳ１において操作されたと判断された押しボタンスイッチがスイッチ６１〜６５のいずれかであるか否かが判断される。
【００５１】
ステップＳ１における操作部６０の操作が有効インタフェースの操作であるとステップＳ５で判断されたとき、即ちステップＳ１において操作されたと判断された押しボタンスイッチがスイッチ６１〜６５のいずれかであるとき、プロジェクタ本体装置１は、上述のステップＳ４及びステップＳ５に移行する。一方、ステップＳ１における操作部６０の操作が有効インタフェースの操作であるとステップＳ５で判断されなかったとき、即ち、ステップＳ１において操作されたと判断された押しボタンスイッチがスイッチ６６であるとき、プロジェクタ本体装置１は、上述のステップＳ４及びステップＳ５に移行せずに、図１以降が再び繰り返される。
【００５２】
本発明による投写型映像表示装置の動作について説明する。
第１モードにおいて複数のスイッチ６１〜６６のうちいずれかが操作された場合には、リモコン装置２の制御部９１は、操作された押しボタンスイッチに応じたリモコンコードを生成する。そして、リモコン装置２は、リモコン信号送信部５１からリモコン信号を送信する。プロジェクタ本体装置１は、リモコン装置２から送信されたリモコン信号を受信して、リモコン信号に基づいてスイッチ６１〜６６に割り当てられている動作を行う。
【００５３】
一方、第２モードにおいて複数のスイッチ６１〜６６のうち特定の押しボタンスイッチであるスイッチ６６が操作された場合には、リモコン装置２の制御部９１は、スイッチ６６に応じたリモコンコードを生成せずに、リモコン信号送信部５１によるリモコン信号の送信を禁止する。従って、第２モードにおいてスイッチ６６が操作された場合には、リモコン装置２からリモコン信号が送信されず、プロジェクタ本体装置１は、スイッチ６６に割り当てられている動作を行わない。
【００５４】
また、第２モードにおいてスイッチ６１〜６５のうちいずれかが操作された場合には、リモコン装置２の制御部９１は、第１モードと同様に、操作された押しボタンスイッチに応じたリモコンコードを生成する。そして、リモコン装置２は、リモコン信号送信部５１からリモコン信号を送信するため、第２モードにおいてスイッチ６１〜６５が操作された場合には、プロジェクタ本体装置１は、受信したリモコン信号に基づいてスイッチ６１〜６５に割り当てられている動作を行う。
【００５５】
本実施形態の投写型映像表示装置によれば、以下の効果を得ることができる。
（１）複数のスイッチ６１〜６６のうちスイッチ６６が操作されたとき、リモコン装置２の制御部９１は、第１モードにおいてはリモコン信号送信部５１によるリモコン信号の送信を許可し、第２モードにおいてはリモコン信号送信部５１によるリモコン信号の送信を禁止する。よって、リモコン信号に基づくプロジェクタ本体装置１の特定の動作を一時的に禁止したい場合には、リモコン信号送信部５１を制御する態様が第１モードから第２モードに切り替わることによって、リモコン信号の送信を禁止して、リモコン信号に基づくプロジェクタ本体装置１の特定の動作を禁止することができる。従って、リモコン信号の送信を禁止せずにプロジェクタ本体装置１側においてリモコン信号に基づくプロジェクタ本体装置１の動作を禁止する構成に比べて、リモコン信号送信部５１によるリモコン信号の送信頻度を低減して、操作部６０の操作に伴うリモコン装置２の電力消費を抑制することができる。
【００５６】
（２）リモコン装置２は、スライドスイッチ７１により構成されるモード切替用操作部７０を備え、制御部９１は、モード切替用操作部７０が操作されたときに、第１モード及び第２モードのうち一方のモードから他方のモードに切り替わる。従って、プロジェクタ本体装置１等の外部機器からリモコン装置２の制御部９１を制御せずに、第１モード及び第２モードを切り替えることができる。
【００５７】
（３）リモコン装置２は、第２モードにおいて、スイッチ６１〜６６のうち有効インタフェースであるスイッチ６１〜６５を、発光して示す発光部８０を備える。このため、ユーザは、第２モードにおいて、リモコン信号送信部５１によるリモコン信号の送信が許可されるマンマシンインタフェースを見分け易くなる。
【００５８】
（４）第２モードにおいて、スイッチ６１〜６５の操作に応じて、点灯発光素子または消灯発光素子となる発光素子８１〜８５の組み合わせが変化する。このため、プロジェクタ本体装置１の動作を操作するために必要とされるスイッチ６１〜６５の操作順に対応して、点灯発光素子または消灯発光素子となる発光素子８１〜８５の組み合わせを変化させることができる。従って、ユーザは、スイッチ６１〜６５の操作順を把握し易くなる。
【００５９】
（５）投写型映像表示装置は、リモコン装置２と、プロジェクタ本体装置１とを備える。このため、上記（１）〜（４）の効果を奏することができ、また、例えば天井に設けられたプロジェクタ本体装置１の動作を簡単に操作することができる。
【００６０】
なお、本発明は、上記実施形態に限られず、本発明の趣旨に基づいて種々の設計変更をすることが可能であって、それらを本発明の範囲から除外するものではない。例えば、上記実施形態を以下のように変更してもよく、以下の変更を組み合わせて実施してもよい。
【００６１】
・上記実施形態では、第２モードにおいてリモコン信号の送信が禁止されるマンマシンインタフェースがスイッチ６１〜６５であるが、リモコン装置２が、リモコン信号の送信が禁止されるマンマシンインタフェースを変更可能な機能を有する構成を採用することもできる。換言すれば、リモコン信号の送信が禁止される特定のマンマシンインタフェースが異なる複数の第２モードを備える構成とすることもできる。このような構成によれば、リモコン信号の送信が禁止される特定のマンマシンインタフェースが異なる複数の第２モードを使い分けることによって、第２モードにおいてリモコン信号の送信が禁止される特定のマンマシンインタフェースを変更することができ、無効インタフェースを、所望のマンマシンインタフェースに変更することができる。
【００６２】
・上記実施形態では、第２モードにおいて有効インタフェースの操作に応じて、点灯発光素子または消灯発光素子となる発光素子８１〜８５の組み合わせが変化する構成であるが、第２モードにおいて発光素子８１〜８５が常に点灯発光素子となる構成を採用することもできる。また、有効インタフェースを示す発光素子８１〜８５を省略することもできる。
【００６３】
・上記実施形態では、赤外線でリモコン信号を送信する構成であるが、リモコン信号受信部３１を、電波を受信する無線受信モジュールにより構成するとともに、リモコン信号送信部５１を、電波を送信する無線送信モジュールにより構成することで、電波でリモコン信号を送信する構成を採用することもできる。
【００６４】
・上記実施形態では、リモコン信号を無線でリモコン装置２からプロジェクタ本体装置１に送信する構成であるが、リモコン信号を有線でリモコン装置２からプロジェクタ本体装置１に送信する構成を採用することもできる。
【００６５】
・上記実施形態では、モード切替用操作部７０はスライドスイッチにより構成されているが、スライドスイッチ以外のマンマシンインタフェースにより構成することもできる。例えば、押しボタンスイッチまたはタッチパネル等によりモード切替用操作部を構成することもできる。
【００６６】
・上記実施形態では、リモコン装置２がモード切替用操作部７０を備えているが、プロジェクタ本体装置１に、第１モード及び第２モードを切り替えるためのモード切替用操作部を設けることもできる。この場合、モード切替用操作部が操作されたときに、プロジェクタ本体装置１がリモコン装置２に信号を送信する構成を採用する。そして、モード切替信号を受信したリモコン装置２の制御部９１が、モード切替信号に基づいて、第１モード及び第２モードのうち一方のモードから他方のモードに切り替わることが可能である。
【００６７】
・上記実施形態では、操作部６０は押しボタンスイッチにより構成されているが、押しボタンスイッチ以外のマンマシンインタフェースにより構成することもできる。例えば、ダイヤルスイッチ、タッチパネル、またはこれらの組み合わせ等により操作部を構成することもできる。なお、タッチパネルにより操作部が構成される場合、複数のマンマシンインタフェースはタッチパネル画面の領域で区分される。
【００６８】
・上記実施形態では、本発明を液晶プロジェクタに適用しているが、液晶プロジェクタ以外の投写型映像表示装置に本発明を適用することもできる。即ち、例えば、微小鏡を格子状に配列したＤＭＤ（Digital Micromirror Device）を備えたプロジェクタ本体装置に本発明を適用することもできる。ＤＭＤを備えるプロジェクタ本体装置においては、映像信号に基づいてＤＭＤが駆動され、そして、光源１１からＤＭＤに入射した光が、ＤＭＤで反射されることによって、映像信号に基づいた映像が生成される。
【符号の説明】
【００６９】
１…プロジェクタ本体装置（操作対象装置）、１Ｃ…筐体、２…リモコン装置（遠隔操作機器）、２Ｃ…ケース、１１…光源、１２…液晶パネル、１３…投射レンズ、２１…映像信号入力部、２２…映像信号処理部、２３…液晶駆動部、３１…リモコン信号受信部、４１…制御部、５１…リモコン信号送信部、６０…操作部、６１…電源ボタンスイッチ（マンマシンインタフェース）、６２…スタンバイボタンスイッチ（マンマシンインタフェース）、６３…メニュー表示ボタンスイッチ（マンマシンインタフェース）、６４…項目選択ボタンスイッチ（マンマシンインタフェース）、６５…ポインタ移動ボタンスイッチ（マンマシンインタフェース）、６６…押しボタンスイッチ（特定のマンマシンインタフェース）、７０…モード切替用操作部、７１…スライドスイッチ、８０…発光部、８１〜８５…発光素子、９１…制御部。
【図１】
2013034116.tif 000003
【図２】
2013034116.tif 000004
【図３】
2013034116.tif 000005
【図４】
2013034116.tif 000006